(57)【特許請求の範囲】
【請求項１】
杖本体に取り付けられる取付部を基点として所定角度で左右に開き、閉じたときには杖本体に沿って下垂静止状態を可能とする杖転倒防止用支持アームの操作手段において、ロッド取付部と手動用の手掛け部を一体形成し杖本体を挿通して上下動可能とするパイプ形状の起動部と、左右支持アームに設けられるロッド取付穴と起動部のロッド取り付け部とを自在連結するロッドと、左右の支持アームを所定の角度で開かせるために上昇する起動部の上限位置を決めるストップ板と、左右の支持アームを杖本体に沿って下垂させるために下降する起動部の下限位置を決める停止部と、起動部に取り付けられ停止部の上下端を介して該起動部の上下動におけるそれぞれの停止位置を維持しかつその節度感覚を得るため、停止部の上下端に掛かる突起部が所定の間隔を有して設けられる板スプリングと、を備えて構成したことを特徴とする杖転倒防止用支持アームの操作装置。
【発明の詳細な説明】
【０００１】
【発明が属する技術分野】
本発明は、杖転倒防止用支持アームの操作装置に関するものである。
【０００２】
【従来の技術】
一般に杖は、杖本体の上端に設けられる握り柄を有し、握り柄を握り杖本体の下端を接地させることで歩行を補助している。杖は歩行が不自由な人にとっては、日常生活に欠かせない生活必需品として多く実用に供されてきた。
【０００３】
特殊杖、例えば複数点接地仕様で杖自体が直立することで歩行困難な使用者を支える杖などは別として、通常一般に使用される一点接地の杖については使用者がちょいとした用事や作業などで両手を自由にしたくて、身体面にちよっと寄り掛けたり、又近くの壁面などに立て掛けたとき、僅かな身体の動きやその置き方で不安定になり滑るなどして床に倒れてしまうことが多いので、使用者は自身は勿論、周囲にも気を使い何かと煩わしいものであった。
そのため、杖の非使用時に、杖を身体や近くの壁面などに立て掛けたとき、その杖が倒れ難く安定させるため、吊り紐などの吊り下げ具のほかに例えば張り棒部材などのを用いた転倒防止具が使用に供されている。
しかし、その構造上から、例えば張り棒部材などの展開や下げるときは、その都度片方又は両方の棒材に手を掛けなければならないという煩わしさと機能的に不安定を生じ易いという欠点があった。
【０００４】
【発明が解決しようとする課題】
解決しようとする問題点は、例えば張り棒部材などで設けられる転倒防止具の構成には、杖としての使用感覚を損なうことなく該杖の転倒防止用とする左右支持アームの左右同時展開とその収納を、ワンタッチ感覚で確実に可能とするシンプルで簡便な操作装置がない点である。
【０００５】
【課題を解決するための手段】
本発明は、杖本体に取り付けられる取付部に、先端部が転倒防止における有効な摩擦材で形成される左右の支持アームを該取付部を基点としそれぞれに回動可能で取り付け、杖転倒防止の支持において有効な状態とするために、取付部と略直角方向の位置で水平に左右の支持アーム先端部が杖の転倒防止可能角度で開く開脚状態であるようにし、かつ、閉じる際は下垂して杖本体に沿うように左右支持アーム間の角度が設定されている転倒防止用左右の支持アームにおいて、
取付部の下側に杖本体を挿通して手動操作で上下に可動で、左右の支持アームとの間を自在連結するロッドを介し該左右の支持アームが所定とする作動を可能とするための起動部を設ける。その際、左右の支持アームに所定の回動を設定するため、起動部の上昇時における上限位置を定めるストップ板と、下降時における下限位置を定める停止部をそれぞれ杖本体に固定する。
なお、停止部の上下端部を介して、該起動部の操作におけるそれぞれの停止位置を維持しかつ作動時における若干の抵抗及び節度感覚を構成するため、停止部の上下端部に掛かる若干高さの突起部を所定の間隔で設ける板スプリングを起動部に取り付ける、などを最も主要な特徴とする。
【０００６】
【発明の実施の形態】
杖転倒防止用とする左右支持アームの同時展開又は同時収納を可能とする操作をワンタッチ感覚でシンプルで簡便なものとし、杖の通常使用時における杖の使用感覚にも違和感を感じさせないという目的を実現した。
【０００７】
【実施例】
図１〜４は、本発明操作装置の一実施例における説明図であって、図５は同様で杖の支持状態を示す斜視図である。また、１は杖本体、２は握り柄、１０は立て掛け場所である。
以下図面に基づき、実施例について詳細に説明する。
【０００８】
取付部３は、若干の幅寸法を有するリング状からなる剛性の弾性材で杖本体１を挿通し、一方側の外周部に左右の支持アーム４を杖本体１に対して略直角方向で起立回動可能で、かつ、取付部３をの中心を基点として略７５〜８５度で展開可能とする取り付け角度で取り付けるため左右の取付板３’が一体構成され、もう一方に構成される開放側はビスなどで杖本体１に締め付け固定ができるようになされている。
なお、取付部３は、握り柄２の下側で杖の使用にあたり支障がない位置に取り付けられ、左右の取付板３’には、左右支持アーム４をそれぞれ回転自在に取り付けるためのピン３”が設けられている。
【０００９】
支持アーム４は、立て掛け場所１０に当接する左右の先端部に有効な摩擦力発生可能とする摩擦材４’で、例えば僅かの圧力で変形し易いリング状に先端部を形成することで、立て掛け場所１０面における静止支持機能を更に高めることができるようになされている。
なお、左右の支持アーム４それぞれには、ピン３”寄りの所定位置にロッド６を回動自在に取り付けるためのロッド取付穴６”が設けられている。
【００１０】
起動部５は、左右の支持アーム４とそれぞれに連結するロッド６を回動自在で取り付けるための左右のロッド取付部６’を、取付部３に設けられる左右の取付板３’と同様の取り付け角度をもって一方側の外周部の定位置に一体構成するパイプ状で形成し、杖本体１を挿通して上下に可動とされている。
そして、左右の支持アーム４に設けられるロッド取付穴６”とロッド取付部６’の間をロッド６で自在連結することで、起動部５の杖本体１を軸とする上昇動作でロッド６を介し左右の取付板３’に設けられるピン３”を軸として回動自在の左右の支持アーム４が該取付部３と略直角方向で起立の水平状態と同時にこの左右の支持アーム４先端部が所定の角度で左右に開くことで杖の転倒を防止ができるように構成され、起動部５の下降動作で左右の取付板３’のピン３”を軸とする左右の支持アーム４はロッド６を介して下垂し、杖の通常使用を妨げることなく杖本体１に沿って静止できるように設定がなされているものである。
なお、この上下動作の操作を容易にするための手掛け部５’が起動部５端部の所定位置に設けられている。
【００１１】
ストップ板７は、左右の支持アーム４が起立し杖本体１の転倒防止とする所定位置で左右に展開する時の起動部５における上昇時の上限位置を決めるもので、取付部３の下側所定位置で杖本体１に固定取り付けされている。
停止部８は、杖の通常使用時に左右の支持アーム４が下垂し杖本体１に沿って静止される時の起動部５における下降時の下限位置で杖本体１に固定取り付けされている。
そして、起動部５の上下動動作におけるそれぞれの停止位置において必要とする左右の支持アーム４における位置保持機能と、上下動動作時における若干の抵抗からなる節度感覚を構成するため、停止部８の上下端それぞれに掛かる若干高さの突起部９’、９”を起動部５の必要とする上下移動寸法間隔で構成する板スプリング９が、その所要とするばね機能を妨げることなく起動部５に固定取り付けされている。
突起部９”は起動部５の上昇上限位置で停止部８の上端に掛かるもので、突起部９’は起動部５の下降下限位置で停止部８の下端に掛かるものである。
なお、停止部８の上下端には板スプリング９に設けられる突起部９’、９”における掛止機能を損なわない程度に若干のテーパ加工がなされるテーパ部８’が設けられている。
【００１２】
操作にあたっては、先ず起動部５の手掛け部５’によって該起動部５を上に停止するまで引き上げる。
その時、起動部５に取り付けられている板スプリング９は停止部８下端のテーパ部８’にある突起部９’が停止部８を乗り越えて上昇し起動部５の上端部がストップ板７に当接と同時に今度は突起部９”が停止部８上側のテーパ部８’に落ち着くので、若干の抵抗と節度感をもって移動する起動部５が停止固定されると同時に左右の支持アーム４が所定角度で左右に水平に開くので、開脚した左右支の持アーム４先端部を立てかけ場所１０に立て掛ければよい。
そのとき、開いた左右の支持アーム４の先端部の摩擦材４’を介し立てかけ場所１０に杖をなるべく略直角方向でかつ若干の傾斜状態で寄り掛かるように立て掛けるようにする。
杖を通常使用する場合には、起動部５を手掛け部５’により若干の力で押し下げればよい。
起動部５が下降し板スプリング９に設けられる突起部９’、９”と停止部８及びテーパ部８’などからなる所定機能により停止固定されると同時に左右の支持アーム４は杖本体１の軸に沿って下垂し静止固定されるので、該杖の通常使用に際して支障となることはない。
【００１３】
【発明の効果】
以上説明した本発明の杖転倒防止用支持アームの操作装置について、次に記載する効果を奏する。
【００１４】
請求項1の操作装置は、杖本体を挿通して上下に可動で、回動自在に取り付けるロッドを介して左右支持アームに杖転倒防止の展開動作と下垂の収納動作など所定の作動を行う手動の起動部と、この起動部の上下移動範囲位置を設定し、かつ若干の抵抗感覚及び節度感を構成するため板スプリングからなるばね機構を起動部に備えて構成したことは、杖転倒防止用支持アームの操作がワンタッチ感覚でしかも確実にして簡単に容易にできるという機能性に優れている。
【図面の簡単な説明】
【図１】  本発明の一実施例で、左右の支持アーム４を取り付ける取付部３と起動部５及びロッド６などからな操作装置の取り付け状態を示す説明図である。
【図２】  杖に取り付けられた取付部３及び左右の支持アーム４などの構成を示す上面図である。
【図３】  本発明操作装置の一実施例で、起動部５が下降して停止部８に接して停止し、同時に板スプリング９の突起部９’が停止部８の下端部に掛止した状態を示す縦断面図である。
【図４】  図３の状態から、起動部５が上昇してストップ板７に接して停止し、同時に板スプリング９の突起部９”が停止部８の上端部に掛止した状態を示す縦断面図である。
【図５】  本発明操作装置の一実施例で、立て掛け場所１０などに立て掛けた使用時の２態様を示す斜視図である。
【符号の説明】
１    杖本体
２    握り柄
３    取付部
３’  取付板
３”  ピン
４    支持アーム
４’  摩擦材
５    起動部
５’  手掛け部
６    ロッド
６’  ロッド取付部
６”  ロッド取付穴
７    ストップ板
８    停止部
８’  テーパ部
９    板スプリング
９’  突起部
９”  突起部
１０  立て掛け場所
【図１】
0004845288.tif 000002
【図２】
0004845288.tif 000003
【図３】
0004845288.tif 000004
【図４】
0004845288.tif 000005
【図５】
0004845288.tif 000006